(57)【要約】外側フレームと、シャフトまたはボールジョイントで前記フレームに回動可能に取り付けられたヒンジ付コンポーネントと、及び／又は、内側コンポーネントとを具える独立型、多軸記録可能な保存装置。この装置は、現存のすべての読み取りあるいは書き込み装置に例外なくに適応できる、独立型で、多軸記録が可能な保存装置を提供する。この装置は、現存のアナログあるいはデジタルの記録済み媒体を受け入れ、保護カバーと容器を伴う装置アッセンブリ全体を、再生、読み取りあるいは書き込み装置に挿入することができる。
2005535994.tif 000002
【特許請求の範囲】
【請求項１】
独立型、多軸記録可能な保存装置において：
取り付け手段、ヒンジ手段、内側面、外側面を有し、規定された多角形あるいは円形寸法と所定の高さを持つ３次元のヒンジ付コンポーネントであって、各面が多角形あるいは同心の円形開口を前記面の中心軸上に具えるヒンジ付コンポーネントと；
前記ヒンジ付コンポーネントと係合しそれを収納するような寸法になっている内径開口部にて前記ヒンジ付コンポーネントと一致する、規定された多角形あるいは円形の寸法と所定の高さを持つ３次元の外側フレームコンポーネントであって、前記ヒンジ付コンポーネントの取り付け手段に対応する取り付け手段と、ヒンジ手段と、内径壁と、内径エッジ面と、上面と、底面と、前記内径壁内に設けた溝を有する外側フレームコンポーネントと；
前記ヒンジ付コンポーネントと前記外側フレームのヒンジ手段の中に挿入可能に連結された所定の長さの外側フレーム固体筒状シャフトコンポーネントであって、前記ヒンジ付コンポーネントが、前記外側フレームの前記上面上における閉位置から、前記外側フレームの前記底面上の全開位置まで前記シャフトを中心に３６０度回転可能であるシャフトコンポーネントと；
前記外側フレームと一致する規定の多角形あるいは円形の寸法と所定の高さを持つ３次元の内側コンポーネントであって、前記外側フレームの前記溝内に、前記内側コンポーネントが当該溝内で垂直方向に移動できるように同心に位置し、内側面と外側面を有する内側コンポーネントであって、各面がさらに、前記ヒンジ付コンポーネントの中心軸上で前記多角形あるいは同軸円形の開口部と整列した前記面の中心軸上の多角形または同心円の開口部と、外側フレーム表面、及び前記ヒンジ付コンポーネントのヒンジ手段と取り付け手段に整列した二つの溝付きエッジと、を具え、前記装置が閉じているときには前記内側表面が前記外側フレームを支持し、前記装置が完全に開いているときには前記外側面が前記外側フレームを支持している、内側コンポーネントと；
を具え；
前記組み立てられた装置の重量と体積が、前記ヒンジ付コンポーネントが、完全に閉じているかあるいは完全に開くように３６０度回転しているかのいずれかの場合に前記装置の中心軸を中心に、遠心力を利用してバランスしている；ことを特徴とする保存装置。
【請求項２】
請求項１に記載の装置において、前記ヒンジ付コンポーネントのヒンジ手段が、更に、前記ヒンジ付コンポーネントのエッジに取り付けられたヒンジアームを具え、前記外側フレームシャフトを受けて収納する大きさの前記ヒンジアームを通る開口部を具えることを特徴とする装置。
【請求項３】
請求項２に記載の装置において、前記外側フレームのヒンジ手段がさらに、前記ヒンジ付コンポーネントのエッジに取り付けられたヒンジアームを受けて収納するサイズの一の開口部を具え、更に、前記ヒンジアームの中を貫く開口部に合致するよう整列された前記外側フレームの本体の中を貫く開口部を具え、その開口部が一体ヒンジを提供するように前記外側フレームシャフトを受けて収納するサイズであることを特徴とする装置。
【請求項４】
請求項３に記載の装置において、前記ヒンジ付コンポーネントの取り付け手段が更に、前記ヒンジ付コンポーネントのエッジに取り付けられた機械的に作動する係合機構を具え、前記外側フレームの取り付け手段と係合し、それを保持するサイズであることを特徴とする装置。
【請求項５】
請求項４に記載の装置において、前記外側フレームの取り付け手段が更に、前記外側フレームの内径エッジ面に取り付けられた機械的に作動する係合機構を具え、前記ヒンジ付コンポーネントの取り付け手段と係合して保持するサイズであることを特徴とする装置。
【請求項６】
請求項５に記載の装置において、前記内側コンポーネントの面がさらに、磁気、光、印刷、エッチングされた、写真あるいは視覚的なアート媒体、および有益な記憶可能な材料であって、デジタルまたはアナログフォーマットで、読むことができるか、見ることができるか、あるいはエンコーディングされている材料を具えることを特徴とする装置。
【請求項７】
請求項５に記載の装置において、前記ヒンジ付コンポーネントの面がさらに、磁気、光、印刷、エッチングされた、写真あるいは視覚的なアート媒体、および有益な記憶可能な材料であって、デジタルまたはアナログフォーマットで、読むことができるか、見ることができるか、あるいはエンコーディングされている材料を具えることを特徴とする装置。
【請求項８】
請求項５に記載の装置において、前記ヒンジ付コンポーネントの内側面が、所定の大きさの多角形あるいは円を規定するための溝が設けられており、更に、現存の記録済み媒体を受け、一時的に固定する手段と、前記ヒンジ付コンポーネントの中心軸を通って内径または外径をはさんで互いに対向する同じサイズのノッチを具えることを特徴とする装置。
【請求項９】
請求項８に記載の装置において、現存の記録済み媒体を受け一時的に固定する手段が、前記多角形あるいは円形の溝付き内側または外側周囲あるいは境界に沿って同軸に設けた少なくとも一のスナップオン機構か接着剤を更に具え、そのスナップオン機構又は接着剤が現存の記録済み媒体を受けて一時的に固定するサイズであることを特徴とする装置。
【請求項１０】
請求項８に記載の装置において、現存の記録済み媒体を受けて一時的に固定する手段が、更に、多角形または円形の中心軸上に中心点を持つ長穴式の係合機構か接着剤のうち少なくとも一つを具え、前記係合機構が現存の記録済み媒体を受けて、一時的に固定するサイズであることを特徴とする装置。
【請求項１１】
請求項１０に記載の装置において、前記ヒンジ付コンポーネントが更に、前記内側コンポーネントによって密封する手段を具えることと特徴とする装置。
【請求項１２】
請求項１０に記載の装置において、前記コンポーネントが、ポリカーボン、アルミニウムまたはチタンなどの金属、合金、ケブラ（Kevlar：登録商標）、高インパクトグラファイト、クリスタル、木、樹脂、ファイバーグラス、およびセラミックスを具える材料から構成されていることを特徴とする装置。
【請求項１３】
独立型で、多軸記録可能な、保存装置において：
規定の多角形または円形のフレーム大きさで、均一幅であり、所定の高さの３次元ヒンジ付コンポーネントであって、取り付け手段と、ヒンジ手段を具え、前記フレーム、外側フレーム面、内側フレーム面と一致する大きさの多角形あるいは円形の内側開口を規定し、一の内側コンポーネントを当該内側コンポーネントが前記フレームの中心軸を中心に３６０度回転できるような方法で受けて保持する手段とを有するコンポーネントと；
規定の多角形あるいは円形の寸法と、前記ヒンジ付コンポーネントと一致する所定の高さと、前記ヒンジ付コンポーネントと係合しそれを収納するサイズの内径の開口を持つ３次元外側フレームコンポーネントであって、前記ヒンジ付コンポーネントの取り付け手段に対応する取り付け手段と、ヒンジ手段と、内径壁と、上面と、底面とを有し、前記上面が更に、前記外側フレームの共通中心軸を中心として隆起した半円リングの外側及び内側セットを規定する２セットの半円の溝を具え、前記上面と底面が更に、所定の直径を持ち、前記共通中心軸に対して同心である、上面上に隆起した円形リングを有する円形開口を具えるフレームコンポーネントと；
長さが同じ３つの連結された円形突起を具える外側フレームシャフトであって、二つの突起が前記外側フレームのヒンジ手段内に挿入して連結される共通縦軸に沿って対向する方向にあり、３番目の突起が前記縦軸の中心点から垂直方向に延在して、ヒンジ付コンポーネント内に挿入して連結されることで、前記ヒンジ付コンポーネントを、前記外側フレームの上面上における閉位置から開位置へ前記シャフトの周りを１８０度回転可能とするシャフトと；
規定された多角形あるいは円形の寸法と、前記外側フレームと一致する所定の高さの３次元内側コンポーネントであって、前記ヒンジ付コンポーネントの内側開口内に、前記内側コンポーネントが前記内側開口内で３６０度回転できるように同心に収納され、内側面と外側面を有し、各面がさらに、前記外側フレームの中心軸上の同心円の開口と同じサイズであり、この開口に整列した、それらの面の中心軸上に同心の円形開口を具え；前記ヒンジ付コンポーネントが閉じている場合に、前記外側フレームの隆起した半円リングの内側セットと円形リングとによって支持されている、内側コンポーネントと；
を具え；
この組み立てた装置の重量と体積が、前記ヒンジ付コンポーネントを閉じたときに前記外側フレームコンポーネントの中心軸を中心に遠心方向にバランスしていることを特徴とする装置。
【請求項１４】
請求項１３に記載の装置において、ヒンジ付コンポーネントのヒンジ手段が、更に、前記ヒンジ付コンポーネントの外側フレーム面上の、前記ヒンジ付コンポーネントの取り付け手段の真向かい側に取り付けられたヒンジアームを具え、外側フレームヒンジ手段内にフィットするサイズであり、更に、前記外側フレームシャフトの垂直の突起を受けて収納する大きさの前記ヒンジアームを通るシャフトを具えることを特徴とする装置。
【請求項１５】
請求項１４に記載の装置において、前記外側フレームのヒンジ手段が更に、前記ヒンジ付コンポーネントのエッジに取り付けられた前記ヒンジアームを受けて収納するサイズの一の開口を前記外側同心円内に具え、更に、外側フレームシャフトの水平方向に対向して設けた突起を受けて収納するサイズの外側フレームのボディを通るシャフトを具えることを特徴とする装置。
【請求項１６】
請求項１５に記載の装置において、前記ヒンジ付コンポーネントの取り付け手段が更に、前記ヒンジアームの真向かい側に前記ヒンジ付コンポーネントの外側フレームに取り付けられた突出部材を具え、前記外側フレームの取り付け手段にフィットし係合するサイズであることを特徴とする装置。
【請求項１７】
請求項１６に記載の装置において、前記外側フレームの取り付け手段が、更に、前記外側フレームのエッジに取り付けた機械的に作動する締結手段を収納する外側の隆起した半円リングの間に溝部を具え、ヒンジ付コンポーネントの突出部を受けて保持するサイズであることを特徴とする装置。
【請求項１８】
請求項１７に記載の装置において、前記内側コンポーネントを受けて保持する手段が、更に、所定の長さの２本の対向するシャフトであって、各々が、前記ヒンジ付コンポーネントの内側フレーム面上に配置された対向する開口内に固定的に収納されたシャフトを具え、前記開口が、各シャフトの半分が前記ヒンジ付コンポーネントの中心軸に沿って露出するサイズであることを特徴とする装置。
【請求項１９】
請求項１８に記載の装置において、前記内側コンポーネントがさらに、前記内側コンポーネントの中心線軸に沿って対向する二つの穴を具え、各穴が前記内側コンポーネントを受けて保持する前記手段の露出したシャフトを受ける位置に、当該シャフトを受けるサイズで配置されており、前記ヒンジ付コンポーネントの中心軸の周りを前記ヒンジ付コンポーネントの規定された内側開口内で３６０度回転できる２軸の一体ヒンジを提供することを特徴とする装置。
【請求項２０】
請求項１９に記載の装置において、前記内側コンポーネントの外側面と内側面が更に、磁気的、光学的、印刷で、エッチングされた、写真の、あるいは視覚的なアート媒体と、有益な記憶可能な材料であって、デジタルまたはアナログフォーマットで、読むことができるか、見ることができるか、あるいはエンコーディングされている材料を具えることを特徴とする装置。
【請求項２１】
請求項１９に記載の装置において、前記外側フレームの上側と底側が、更に、印刷された、エッチングされた、写真の、あるいは視覚的なアート媒体を具えることを特徴とする装置。
【請求項２２】
請求項２０に記載の装置において、前記内側コンポーネントが更に、内側面と外側面を具え、当該内側面が所定の高さと幅を持つ二つの隆起した半円形を規定するための溝を具え、更に、現存の記録媒体を受けて一時的に固定する手段と、前記内側コンポーネントの中心軸を通り前記内径または外形を横切って互いに対向する同じサイズのノッチを具え、前記内側面および外側面が更に前記内側コンポーネントの中心軸上に、所定の径の同心円開口を具えることを特徴とする装置。
【請求項２３】
請求項２２に記載の装置において、前記内側コンポーネントが更に、前記外側フレーム部材とシールする手段を具えることを特徴とする装置。
【請求項２４】
請求項２２に記載の装置において、前記コンポーネントがポリカーボン、アルミニウムまたはチタンなどの金属、合金、ケブラ（登録商標）、高インパクトグラファイト、クリスタル、木、樹脂、ファイバーグラス、およびセラミックスを具える材料からなることを特徴とする装置。
【請求項２５】
独立型で、多軸記録可能な、保存装置において、当該装置が：
規定の多角形あるいは円形フレームの寸法で、均一幅で、かつ所定の高さの３次元ヒンジ付コンポーネントであって、前記フレームと同じ大きさの多角形あるいは円形の溝付き内側面開口、外側面、外側フレーム面、内側フレーム面、取り付け手段および、内側面に前記フレームの中心軸の周りを回転可能にさせるヒンジ手段、を規定し、前記内側面の表面と外側面の表面が更に、前記ヒンジ付コンポーネントの中心軸上に所定の径の同心円形開口を具えるコンポーネントと；
規定の大きさの多角形あるいは円形の寸法で、前記ヒンジ付コンポーネントと一致する所定の高さの３次元外側フレームコンポーネントであって、前記ヒンジ付コンポーネントと係合し、これを収納するサイズの内径の開口を伴い、前記ヒンジ付コンポーネントの前記取り付け手段に対応する取り付け手段と、ヒンジ手段と、内径壁と、上面と、底面を有し、前記上面が、更に、前記外側フレームの共通中心軸の周りに所定幅の外側の隆起した平面を具え、前記上面と底面が、更に、前記上面側に隆起した円形リングを有する前記共通中心軸上に所定の径の同心円形開口を具えるフレームコンポーネントと；
を具え、
前記組み立てられた装置の重量と体積が、前記ヒンジ付コンポーネントが閉じているときに、前記外側フレームコンポーネントの中心軸を中心に遠心方向にバランスされている；
ことを特徴とする装置。
【請求項２６】
請求項２５に記載の装置において、前記ヒンジ付コンポーネントのヒンジ手段が更に、前記ヒンジ付コンポーネントの取り付け手段の真向かい側の前記ヒンジ付コンポーネントの外側フレーム面に取り付けられたボールジョイントシャフトおよびヒンジを具え、前記外側フレームヒンジ手段の中にフィットするサイズで、前記ボールジョイントヒンジの３次元軸に沿って縦方向において９０度まで、横方向において１８０度までの移動を提供することを特徴とする装置。
【請求項２７】
請求項２６に記載の装置において、前記外側フレームヒンジ手段が、更に、前記外側フレームボールジョイントシャフト及びヒンジを受けてこれを収納するサイズの前記外側フレームの平坦面上に配置された球形キャビティを具えることを特徴とする装置。
【請求項２８】
請求項２７に記載の装置において、前記ヒンジ付コンポーネントの取り付け手段が、更に、前記ボールジョイントシャフト及びヒンジの真向かいの位置において前記ヒンジ付コンポーネントの前記外側フレームに取り付けられた突出したヒンジアームを具え、前記外側フレームアタッチメント手段内にフィットし係合するサイズであることを特徴とする装置。
【請求項２９】
請求項２８に記載の装置において、前記外側フレーム取り付け手段が、更に、前記外側フレームのエッジに取り付けられた機械的に作動する締結手段を収納する隆起した平坦面の間に溝部を具え、前記ヒンジ付コンポーネントの突出したヒンジアームを受けてこれを保持するサイズであることを特徴とする装置。
【請求項３０】
請求項２９に記載の装置において、前記ヒンジ付コンポーネントの外側面と内側面が更に、磁気的、光学的、印刷で、エッチングされた、写真の、あるいは視覚的なアート媒体と、その他の有益な記憶可能な材料であって、デジタルまたはアナログフォーマットで、読むことができるか、見ることができるか、あるいはエンコーディングされている材料を具えることを特徴とする装置。
【請求項３１】
請求項２９に記載の装置において、前記外側フレームコンポーネントの上面と底面が、更に、印刷された、エッチングされた、写真の、あるいは視覚的なアート媒体を具えることを特徴とする装置。
【請求項３２】
請求項３１に記載の装置において、前記ヒンジ付コンポーネントが更に、現存の記録媒体を受けてこれを一時的に固定する手段と、前記ヒンジ付コンポーネントの中心軸を通り前記内径または外形を横切って互いに対向する同じサイズのノッチを具えることを特徴とする装置。
【請求項３３】
請求項３２に記載の装置において、前記現存する記録媒体を受けてこれを一時的に固定する手段が、更に、前記多角形あるいは円形の溝付き周囲または境界沿って同軸に設けた、前記現存の記録媒体を受けて一時的に固定するサイズのスナップオン機構か接着剤のうちの少なくとも一つを具えることを特徴とする装置。
【請求項３４】
請求項２９に記載の装置において、前記コンポーネントがポリカーボン、アルミニウムまたはチタンなどの金属、合金、ケブラ（登録商標）、高インパクトグラファイト、クリスタル、木、樹脂、ファイバーグラス、およびセラミックスを具える材料からなることを特徴とする装置。
【発明の詳細な説明】
【技術分野】
【０００１】
発明の属する技術分野
典型的なディスク状記録媒体とその保護カバーまたは容器は、その媒体から読み出しあるいはその媒体への書き込みをするための装置にまとめて挿入可能か、あるいは、読み出しまたは書き込み装置内に媒体を挿入する前に切り離さなくてはならない別個の複数のコンポーネントからなる。これらの装置は、米国特許第6,337,538B1号などのシャッタカートリッジ装置から、米国特許第6,118,757号の保護カートリッジに至る。この技術分野におけるコンパクトディスクの容器は、典型的には、ベースの一方の側に回動可能に連結されたカバー付のベースを具える。コンテナ内にディスクを固定するためになんらかの係合手段がベースに設けられている。ディスクを保護的に収納し、ディスクの読み取りあるいは書き込みドライブ内に直接に挿入されるこの分野のカートリッジは、読み取りまたは書き込み装置にディスクの一部を露出させるための、シャッタあるいはスライドドアを使用している。
【０００２】
従来技術は、現在あるすべての読み出しまたは書き込み装置に例外なく適応し、製造者とユーザにとって最終的に容易さと都合の良さを提供する、独立型で、多軸記録可能な、保存装置がない点で制限されている。更に、現存のアナログまたはデジタルでの記録済媒体を受け入れ、自身の保護カバー／容器を、再生、読み取り、または書き込み装置内に一体的なアッセンブリとして物理的に挿入しうるような装置はない。
【背景技術】
【０００３】
３７C.F.R.  1.97  および  1.98の情報開示義務を含む従来技術
従来技術の調査は、従来技術の現状を示すと思われる以下の米国特許出願を見つけた：
2002年4月23日発行の米国特許第6,377,538B1号、2001年10月9日発行の米国特許第6,298,986B1号、2002年7月3日発行の米国特許第6,256,168B1号、2001年3月20日発行の米国特許第6,205,115B1号、2000年9月12日発行の米国特許第6,118,757号、2000年6月20日発行の米国特許第6,077,583号、2000年2月1日発行の米国特許第6,021,031号、1999年12月21日発行の米国特許第6,005,755号、1999年5月11日発行の米国特許第5,903,542号、1998年7月28日発行の米国特許5,787,069号、1998年4月20日公開の欧州特許出願第EP 0 843 310 A1号、1983年6月14日発行の米国特許第4,387,807号、及び米国特許第3,547,342号、である。
【０００４】
発明の概要
時間と、労力と、材料を節約するために、現存のすべての読み出しあるいは書き込み装置に例外なく適応する、独立型で、多軸記録可能な、保存装置が現在必要とされている。更に、現存のアナログまたはデジタルでの記録済媒体を受け入れ、再生、読み取り、あるいは書き込み装置に保護容器を挿入できる装置が必要とされている。
【０００５】
したがって、本発明の目的は、容器と記録媒体を一つの装置にまとめることによって製造者とエンドユーザに便宜を提供するものであり、ここでは、操作者／ユーザは、その一体化された、相互関連して機能する複数のコンポーネント内で、蓄音機タイプの溝つきレコードなどの、アナログ録音された音楽、声、または、あらゆる可聴音の、記録、保存、保護、絶縁、封入、読み取り、作動および再生を行うであろう。
【０００６】
本発明の他の目的は、容器と記録媒体を一つの装置にまとめることによって、
製造者とエンドユーザに便宜を提供するものであり、ここでは、操作者／ユーザは、その一体化された、相互関連して機能する複数のコンポーネント内で、レーザ光、磁気フィルム、あるいはその他の記録可能なフィルム材料を用いて、デジタルで記録された音楽、声、データ、ソフトウエアアプリケーション、及び／又はビデオの、記録、保存、保護、絶縁、封入、読み取り、作動および再生を行うであろう。
【０００７】
本発明の他の目的は、容器と記録媒体を一つの装置にまとめることによって、
製造者とエンドユーザに便宜を提供するものであり、ここでは、操作者／ユーザは、その一体化された、相互関連して機能する複数のコンポーネント内で、写真フィルムスライド、絵画、写真、帯電防止フィルム、磁気物体、あるいはその他の視覚的なアート、又は読み取り可能な印刷媒体を、記録、保存、保護、絶縁、封入、表示および転送するであろう。
【０００８】
本発明の更なる他の目的は、記録済の有益な媒体／装置を伴う保護カバー／容器を一つの装置にまとめることによって、製造者とエンドユーザに便宜を提供するものであり、ここでは、ユーザは、その一体化された相互関連して機能する複数のコンポーネント内で、２次元または３次元のモールド、アートワーク、機械加工プレート、印刷フィクスチュア及び／又はあらゆる有益で保存可能な材料を、記録、保護、絶縁、封入、表示及び／又は転送するであろう。
【０００９】
本発明の更なる他の目的は、記録済の有益な媒体／装置付きの保護カバー／容器を一つのアッセンブリにまとめることによって、エンドユーザに便宜を提供するものであり、ここでは、ユーザは：（１）あらゆる電子／電気的アッセンブリ、集積回路及び／又は大規模集積回路、又はプリント回路基板；（２）あらゆる医学的または実験的なスピーシメン及び／またはサンプル；（３）液体状または固体状の化学的及び／又は生化学的材料；（４）液体状または固体状のあらゆる食物または食用物；（５）限定されるものではないが、レンズ、リング、コイン、チップ、その他のタイプの宝石、などを含むあらゆる人工的な固体物；（６）あらゆる有機物または無機物；及び（７）限定されるものではないが、時計、携帯情報端末、携帯電話、コンピュータ、電子携帯デバイス、方向コンパス、カメラ、ビデオモニタスクリーン、電子書籍、おもちゃ、などを含む、その他の機械的あるいは電子的な装置；などの人工的あるいは自然な有形物を保護し、絶縁し、封入し、利用するであろう。
【００１０】
本発明の更なる追加の目的は：（１）例えば、本発明をフロッピィディスク、コンパクトディスク／ポリゴン、ＶＣＤ、ＤＶＤ、ジップディスク、または記録レコード媒体などを伴うさまざまなデジタル又はアナログ記録または再生装置に使用した場合に、より便利な装着および脱着動作を提供すること；（２）重量を少なくして、ユーザがより多くの装置を運べるようにすること；（３）保管場所をより小さくすること；（４）より携帯性を高めること；（５）異質な固体／液状の、自然あるいは人工的なものを保存すること；および（６）容器が内容物の媒体から物理的に分離される、あるいは、誤って配置されることを防ぐことによって、エンドユーザにより優れた有用性と操作容易性を提供するものである。
【００１１】
本発明の更なる目的は、傷／埃／汚れが防止され、耐衝撃性のある、一体化された容器／記録媒体を提供することである。
【００１２】
本発明の更なる他の目的は、デザインがコンパクトで、不必要な空洞や、使用不可能なスペースがなく、原材料を過剰に使用することなく、したがって、今日市場にある保護容器が別に設けられている従来のディスクに対して、効率の良い製品の製造及び組み立てプロセスをもたらす、一体化した容器／記録媒体を提供することである。このより効率よく製造された製品のアプリケーションは、限定するものでなく、音声、データ、音、ソフトウエアアプリケーション、ビデオ、およびユーザの意図に従った他の有用な目的物の、アナログ、デジタル、あるいは光記録に使用する材料の保管を含む。
【００１３】
本発明の更なる他の目的は、持ち運びが大変便利であり、ユーザのポケットや財布に当該装置を物理的に入れておくことも含め、どこにでも個人が持ち運ぶことのできる、一体化した容器／記録媒体を提供することである。
【００１４】
本発明の更なる他の目的は、より多く、またより効率の良い物理的な保管とアクセスのために、個別もしくは塊で積み上げられたとき、あるいは置かれたときに、より少ないスペースを占有する一体化された容器／記録媒体を提供することである。
【００１５】
本発明の更なる目的は、装置が；（１）組み立てが早くかつ容易である；（２）当技術分野の現存の他の製品に比べて製造が簡易である；（３）容器と記録媒体が別々である当技術分野の他の現存の製品に比べて、より小さくよりコンパクトである；（４）搬送が容易である；結果として製造における便益もしくは利点を提供することである。
【００１６】
この他の、本発明の特徴、利点、目的は、以下の説明および添付の図面を参照して明らかになるであろう。
【図面の簡単な説明】
【００１７】
上述の概要は、以下の様々な実施例の詳細な説明と共に、添付の図面を参照して考えるとより理解が容易になる。本発明を図面に示すために、図面に好ましい一の実施例と、二つの関連する実施例を示す。しかしながら、本発明は図面に開示された特定の方法や、装置に限定されるものではない。
【図１】図１は、本発明の実施例のコンポーネントを示す分解斜視図である。
【図２】図２は、本発明の実施例の外側フレームコンポーネントの平面図である。
【図２Ａ】図２Ａは、本発明の実施例の外側フレームコンポーネントの右側面図である。
【図２Ｂ】図２Ｂは、図２の切断線Ａ−Ａに沿って得た縦断面図であり、前記外側フレームコンポーネントの内側溝部分を示す。
【図２Ｃ】図２Ｃは、図２の切断線Ｂ−Ｂに沿って得た水平断面図であり、前記外側フレームコンポーネントの実施例としての、スナップ式／締まりばめの係合および固定機構を示す。
【図２Ｄ】図２Ｄは、前記外側フレームのシャフトを収納する開口部を示す図２の正面部分の詳細図である。
【図２Ｅ】図２Ｅは、ヒンジ付コンポーネントのアームを受ける為の前記外側フレームコンポーネントの周囲に沿って設けた開口を示す図２の平面部分の詳細図である。
【図３】図３は、本発明の実施例の内側コンポーネントの平面図である。
【図４】図４は、本発明の実施例の外側フレームシャフトコンポーネントの平面および正面図である。
【図４Ａ】図４Ａは、本発明の実施例の外側フレームシャフトコンポーネントの斜視図である。
【図５】図５は、本発明の実施例のヒンジ付コンポーネントの平面図である。
【図５Ａ】図５Ａは、本発明の実施例のヒンジ付コンポーネントの正面図である。
【図５Ｂ】図５Ｂは、本発明の実施例のヒンジ付コンポーネントの切断線Ａ−Ａに沿った水平方向の断面図である。
【図５Ｃ】図５Ｃは、本発明の実施例のヒンジ付コンポーネントのヒンジアームおよびホールの詳細な断面図である。
【図６】図６は、本発明の実施例の代替のヒンジ付コンポーネントの斜視図である。
【図７】図７は、本発明の実施例の代替のヒンジ付コンポーネントの一要素の詳細な斜視図である。
【図８】図８は、本発明の他の実施例のコンポーネントを示す分解斜視図である。
【図９】図９は、本発明の他の実施例の外側フレームコンポーネントの斜視図である。
【図９Ａ】図９Ａは、本発明の他の実施例の外側フレームコンポーネントの周囲に沿って設けた外側フレームシャフトを受けて収納するための溝付き開口の詳細な斜視図である。
【図９Ｂ】図９Ｂは、本発明の他の実施例の外側フレームコンポーネントの外周に沿った第２の溝付き開口の各詳細な斜視図である。
【図１０】図１０は、本発明の他の実施例のヒンジ付コンポーネントの斜視図である。
【図１０Ａ】図１０Ａは、本発明の他の実施例のヒンジ付コンポーネントの突出部材の詳細な斜視図である。
【図１０Ｂ】図１０Ｂは、本発明の他の実施例のヒンジ付コンポーネントのヒンジアーム部材の詳細な斜視図である。
【図１１】図１１は、本発明の他の実施例の内側コンポーネントの斜視図である。
【図１１Ａ】図１１Ａは、本発明の他の実施例の内側コンポーネントの周囲に沿って設けられた対向する穴のうちの一つの詳細な斜視図である。
【図１２】図１２は、本発明の他の実施例の外側フレームシャフトコンポーネントの斜視図である。
【図１２Ａ】図１２Ａは、本発明の他の実施例の外側フレームシャフトコンポーネントの正面図である。
【図１２Ｂ】図１２Ｂは、本発明の他の実施例の外側フレームシャフトコンポーネントの左側面図である。
【図１２Ｃ】図１２Ｃは、本発明の他の実施例の外側フレームシャフトコンポーネントの平面図である。
【図１３】図１３は、本発明の他の実施例の代替の内側コンポーネントの斜視図である。
【図１３Ａ】図１３Ａは、代替の内側コンポーネントの詳細な斜視図であり、内側ディスク係合機構と、当該コンポーネントの周囲に沿って設けられている開口を示す。
【図１４】図１４は、本発明の第３実施例の外側フレームコンポーネントの平面図である。
【図１４Ａ】図１４Ａは、本発明の第３実施例の正面図である。
【図１４Ｂ】図１４Ｂは、本発明の第３実施例の外側フレームコンポーネントの図１４の切断線Ａ−Ａに沿った断面図である。
【図１４Ｃ】図１４Ｃは、本発明の第３実施例の外側フレームコンポーネントの右側面図である。
【図１４Ｄ】図１４Ｄは、本発明の第３実施例の外側フレームコンポーネントの図１４の切断線Ｂ−Ｂに沿った断面図である。
【図１５】図１５は、本発明の第３実施例の外側フレームコンポーネントの斜視図である。
【図１５Ａ】図１５Ａは、本発明の第３実施例の外側フレームコンポーネントの球形キャビティの詳細を示す図である。
【図１５Ｂ】図１５Ｂは、本発明の第３実施例の外側フレームコンポーネントの外側フレーム経路開口の詳細を示す図である。
【図１６】図１６は、本発明の第３実施例のヒンジ付コンポーネントの平面図である。
【図１６Ａ】図１６Ａは、本発明の第３実施例のヒンジ付コンポーネントの正面図である。
【図１６Ｂ】図１６Ｂは、本発明の第３実施例のヒンジ付コンポーネントの切断線Ａ−Ａに沿った水平方向の断面図である。
【図１６Ｃ】図１６Ｃは、本発明の第３実施例のヒンジ付コンポーネントの右側面図である。
【図１７】図１７は、本発明の第３実施例のヒンジ付コンポーネントの斜視図である。
【図１７Ａ】図１７Ａは、本発明の第３実施例のヒンジ付コンポーネントの突出した係合アームの詳細な斜視図である。
【図１７Ｂ】図１７Ｂは、本発明の第３実施例のヒンジ付コンポーネントのボールジョイントシャフトとヒンジエレメントの詳細な図である。
【図１８】図１８は、本発明の第３実施例の代替のヒンジ付コンポーネントの斜視図である。
【図１８Ａ】図１８Ａは、本発明の第３実施例の代替のヒンジ付コンポーネントの詳細を示す図であり、部材の周囲に沿って設けた内部ディスク係合機構と開口を示す。
【００１８】
発明の詳細な説明
図１−５、５Ａ、５Ｂ、５Ｃ、６および７に示すように、本発明の実施例１０は、平坦、あるいは３次元形状の固体素材でできたヒンジ付コンポーネント３０または３０Ｂを具える。ヒンジ付コンポーネント３０または３０Ｂは、図１、５、５Ａ、５Ｂ、５Ｃおよび６に示すように、一体ヒンジ軸２４を中心に３６０度回転可能であるヒンジアーム３２と外側フレームシャフト４０に、連結され、取り付けられ、固定され、溶接され、締結され、または、前記ヒンジ付コンポーネントの外周あるいは周辺のエッジに沿って連結されている。
【００１９】
このヒンジ付コンポーネント３０または３０Ｂの両面は、保護カバープレート、及び／又は、記録／記憶媒体として作用し得る。ヒンジ付コンポーネント３０または３０Ｂのこれらの面は、また、装置１０が完全に開いたとき、あるいは、閉じたときに内側コンポーネント５０に支持構造を提供する。本装置は、ヒンジ付コンポーネント３０または３０Ｂを、外側フレームシャフト４０の中心軸に位置している中心軸２４から回転する一体ヒンジを中心に３６０度回転させることによって、完全に開閉する。更に、図１、５および６に示すように、ヒンジ付コンポーネント３０または３０Ｂの両面は開閉ドライブ機構として機能する。ヒンジ付コンポーネント３０または３０Ｂは、外側フレームの内側溝スロット２２内で、制限された直線方向または半円方向に内側コンポーネント５０を駆動することができる。ヒンジ付コンポーネント３０または３０Ｂの突出アーム３１は、外側フレーム部材２１に結合し能動的かつ一致して作用する、締り嵌め、ばね上げ、あるいはスナップタイプの機構のいずれかを用いて装置１０を固定する。代替的に、ヒンジ付コンポーネント３０または３０Ｂは、限定はされないが、それぞれのコンポーネントの対応する外周同士を締り嵌めする方法を含む当技術分野で公知の手段を用いて、外側フレーム２０に固定することができる。
【００２０】
ヒンジ付コンポーネント３０または３０Ｂは、円形あるいは多角形の穴３４、突出シャフト、ボス、ギア、及び／又は溝付き面を具えていても良い。この円形あるいは多角形穴３４は、従来のコンパクトディスク媒体を収納する実施例の場合、コンパクトディスク媒体の径より僅かに小さい径の大きさまで大きくできる。装置１０の外周及び／又は周辺との共通中心点を共有するために、これらの機構を同軸に配設あるいは追加できる。内側コンポーネント５０またはヒンジ付コンポーネント３０または３０Ｂの一方の面に埃、汚れ、すすなどの異物が入り込むのを防ぐために、ヒンジ付コンポーネント３０または３０Ｂに、ボスを付加し設けることができる。ひっかき傷などの物理的なダメージがヒンジ付コンポーネント３０または３０Ｂ、あるいは内側コンポーネント５０の表面にできることを防ぐために、ヒンジ付コンポーネント３０または３０Ｂの面のいずれかの側に溝付き面を加えても良い。同心の円形／多角形穴３４、ギアあるいは突出シャフトを、デジタルビデオディスク／ポリゴンドライブ、コンパクトディスク／ポリゴンドライブ、ビデオコンパクトディスク／ポリゴンドライブ、アナログレコード読み取り／記録ドライブ、フロッピィ、ジップ、あるいは磁気フィルムドライブ、フィルムリール、スプール、あるいはその他の外付ロータリィドライブ装置と共に使用するときに、様々な所望の回転機能用の回転軸として作用させる為に付加することができる。
【００２１】
ヒンジ付コンポーネント３０または３０Ｂは、ねじ付き穴／シャフト、ゴムシール、または内側コンポーネント５０と結合するあらゆるシーリング機構を加えることによって、密閉、締結、気密、耐暴露、耐汚染部機構を具えるようにしても良い。この機構は、本発明の実施例の装置１０に加えられると、装置１０が完全に閉じられている時に異物が装置を傷つけたり、装置内に入り込んだり、通り抜けたりすることを防ぐ。
【００２２】
図６に示すように、スナップ式または長穴による係合固定機構３６を、接着剤を用いてあるいは接着剤なしで付加して、ヒンジ付コンポーネント３０または３０Ｂ及び外付けフレーム２０に同軸に配置することで、今日市場で入手可能な現存のあらゆるデジタル又はアナログ記録ディスクを保持および固定することができる。図６および７に示すように、このスナップ式／長穴式の固定メカニズムの機構３６は、ヒンジ付コンポーネント３０の上に加えて配置され、取り付けたアナログまたはデジタルディスクの外側及び／又は内側周囲／周辺に沿って位置させることで、装置１０と機能的に接合し、従って、外付の回転再生、記録、又は書き込みドライブプレーヤあるいはマシーンと共に動作しうる。
【００２３】
図１および３に示すように、本発明の実施例１０の内側コンポーネント５０は、平坦、または３次元形状の固体素材でできている。これは、外側フレーム２０の内径内のスロット２２内に、取り付けられ、固定され、締結され、連結され、封じ込められている、制限付きに滑りばめされた直線状あるいは半円状の動作で移動する一のコンポーネントである。この可動内部コンポーネント５０は、外側フレーム２０の周囲あるいは周辺の中心と同軸に配置される。この内側コンポーネント５０の直線移動動作は、外側フレーム２０の中心軸点に沿った軸に中心を合わせ、同軸に配置される。従って、内側コンポーネント５０とヒンジ付コンポーネント３０または３０Ｂ用の様々な媒体オプションを用いて、製造者およびエンドユーザは、一体化された相互関連して機能するコンポーネント内において、レーザ光、磁気フィルムあるいは他の記録可能なフィルム材料を用いた、音楽、音声、データ、ソフトウエアアプリケーション、及び／またはビデオのデジタルまたはアナログ記録を、容易に記録し、保存し、保護し、絶縁し、封入し、読み出し、稼動し、および再生することができる。同様に、本発明の様々な実施例における容器と記録媒体を組み合わせることによって、製造者とエンドユーザは、写真フィルムスライド、絵画、写真、静電防止フィルム、磁気物体、その他の視覚的芸術あるいは読み取り可能な印刷媒体、又はその他の有用な装置または物体などの素材を、その一体化した相互に関連して機能するコンポーネント内において、記録し、保存し、保護し、絶縁し、封入し、表示し、転送することにもこの装置を使用することができる。
【００２４】
この内側コンポーネント５０の両面は、共通の中心点を有しており、ヒンジ部材３０または３０Ｂと外側フレーム２０との中心に沿って同軸に配置されている。内側コンポーネント５０は：（１）装置１０が完全に閉じるか開くかしたときのベース支持構造として；（２）その面の一方あるいは両方の上の素材／フィルムの保存、及び／又は記録媒体として；および（３）ユーザによって手動で作動する開閉駆動機構として；作用する。装置１０を開閉するプロセスにおいて、内側コンポーネント５０は、わずかな手動外力で、ヒンジ付コンポーネント３０または３０Ｂを部分的に駆動してはずす。僅かな圧力及び／又は機械的に作動される係合機構の解除によって、ヒンジ付コンポーネント３０または３０Ｂはスイングして開き、これによって外側フレームシャフト４０上の一体ヒンジの軸を中心に３６０度回転する。
【００２５】
本発明のこの実施例１０の開閉動作は、ヒンジ付コンポーネント３０または３０Ｂを外側フレームシャフト４０の軸を中心に円を描いて押す、引く、あるいは駆動させることによって完全に行われる。開閉動作が行われる間、内側コンポーネント５０は、外側フレーム２０内の限定された空間内に封じ込められたままであり、円形あるいは多角形のホールスロット２２の滑りばめ機能によってこの空間内で移動する。この内側コンポーネント５０は、円形または多角形シャフトとして機能し、外側フレームの内側の円形または多角形の３次元溝付きホールスロット２２と一致して作用する。
【００２６】
内側コンポーネント５０は、更に、装置１０の保護カバーもしくは容器としての役割を持ち、そのどちらかの側面か表面上に、あらゆる素材又はその他の使用可能な対象物を保存又は記録させる。
【００２７】
内側コンポーネント５０は、円形あるいは多角形の穴５２、突出したシャフト、ギア、ボス及び／又は溝付き表面エッジ５４を有していても良い。これらの機構は、外側フレーム２０の外周囲あるいは周辺と共通の中心軸点を有するべく同軸に配置、あるいは加えることができる。一のボスを加えて、埃、汚れ、すすなどの異物が、内側コンポーネント５０とヒンジ付コンポーネント３０または３０Ｂの面のいずれかに入り込むことを防ぐようにしても良い。内側コンポーネント５０のどちらかの面を窪ませた平らな表面にすることによって、内側コンポーネント５０またはヒンジ付コンポーネント３０または３０Ｂのいずれかの表面にひっかき傷がつくのを防ぐことができる。同心の円形／多角形穴５２、ギアあるいは突出したシャフトは、デジタルビデオディスク／ポリゴンドライブ、コンパクトディスク／ポリゴンドライブ、ビデオコンパクトディスク／ポリゴンドライブ、アナログレコードプレーヤードライブ、フロッピィ、ジップ、あるいは磁気フィルムドライブ、フィルムリール、スプールあるいはその他の回転式読み取り、書き込み、あるいは記録ドライブ装置と共に使用される場合に、さまざまな所望の回転機能の回転軸として作用させることができる。
【００２８】
内側コンポーネント５０は、ヒンジ付コンポーネント３０または３０Ｂと合致するねじ付き穴／シャフト、ゴムシール、あるいはあらゆるシーリング機構を加えることによって、密閉、締結、気密、耐暴露、耐汚染部分機構を具えることができる。これらの機構を、装置１０に付加すると、装置が完全に閉じた状態にあるときに異物が装置にダメージを与えたり、装置内に入り込んだり、装置を通りぬけたりすることを防ぐことができる。
【００２９】
スナップ式または長穴の係合および固定機構を、接着剤を用いてあるいは接着剤なしで付加し、この内側コンポーネント５０及び外側フレーム２０と同心に配置することで、今日市場で入手可能なあらゆる現存する従来のデジタルまたはアナログ記録ディスクを保持、固定することができる。このスナップ式／長穴式の固定機構は、内側コンポーネント５０の上に加えて配置し、装着したデジタルあるいはアナログディスクの外側及び／又は内側周囲あるいは周辺に沿って配置することで、装置１０、及び、あらゆる係合された外付け回転ドライブ読み取り、書き込みあるいは記録プレーヤあるいはマシーンと共に機能させることができる。
【００３０】
図１、２、２Ａ、２Ｂ、２Ｃ、２Ｄおよび２Ｅは、内側コンポーネント５０、外側フレームシャフト４０、及びヒンジ付コンポーネント３０または３０Ｂの支持構造として保持し作用する円形あるいは多角形の物体としての外側フレーム２０を示している。外側フレーム２０は、前記装置１０の個々のコンポーネントすべてを正しい位置に固定的に保持するための機構を有して構成されている。外側フレーム２０の円形または多角形の内側径／穴の開口内で、スロット付きの溝付き表面２２が、内側コンポーネント５０と整列し、コンポーネント５０を収容し、コンポーネント５０を保持している。更に、外側フレーム２０はその周囲あるいは周辺に、ヒンジ付コンポーネントアーム３２、外側フレームシャフト４０、およびヒンジ付コンポーネント３０または３０Ｂを受けて、固定する経路開口２４を有している。
【００３１】
外側フレーム２０は：（１）装置１０の複数のコンポーネントを支持し、保持し、格納し、封じ込めると共に、装置１０用が正しく機能するように個々の部品をつなぎ合わせる；（２）装置１０が、完全に開閉し、ユーザが手動で操作できるような駆動及び固定機構として作用する；（３）埃、繊維くず、すすなどの異物がヒンジ付コンポーネント３０または３０Ｂ、内側コンポーネント５０および外側フレームシャフト４０内を自在に通過するのを防止する；（４）あらゆる写真、印刷、視覚的芸術、フィルム、または磁気材料を、素材のいずれかの側面に保持する；（５）その両端部が外側フレーム２０の経路開口２４の内側の正しい位置に、部分的に埋め込まれ、溶接され、取り付けられ、リベットで固定され、永久的に接着され、締結され、ステープルで留められ、または固定されている外側フレームシャフト４０を強固に固定し、装置アッセンブリ１０全体を構造的に安定させる；（６）ヒンジ付コンポーネント３０または３０Ｂの係合機構３１に合致する係合機構２１を有する；（７）周囲あるいは周辺に沿って設けた空洞の経路開口を有するコンポーネントとして作用し、従って、装置１０のヒンジ付コンポーネント３０または３０Ｂを外側フレームシャフト４０の中心軸を中心に３６０度回転させる；及び（８）外側フレーム２０の内側直径面内に滑りばめ機構を有するスロット付溝２２を提供する。
【００３２】
このスロット付溝２２は、内側コンポーネント５０のための通路として作用し、外側フレーム２０の直径軸に直交する軸上を直線的に移動させたり、内側コンポーネント５０の周囲または周辺に沿った軸点を持つ半円形のヒンジ状動作によって移動させたりする。この直線的あるいは半円的な動作の為の外的な機械的駆動動作は、手動によるわずかな圧力か、あるいは外付けの機械的駆動機構を介して、のいずれによるものでもよい。
【００３３】
図４および４Ａに示す外側フレームシャフト４０は、二つの端部を有する円筒状物体である。両端部は、外側フレーム２０の経路開口端部２４を通って延在し、開口端部によって固定されており、また、締結されるか、溶接されるか、永久的に接着されるか、あるいは開口端内部に取り付けられている。この外付けフレームシャフト４０は、ヒンジ付コンポーネント３０または３０Ｂ用の一体ヒンジ軸として作用して、外側フレーム２０と内側コンポーネント５０の両方の平坦面の周りを３６０度回転させ、従って、装置アッセンブリ１０全体の開閉を容易にする。外側フレームシャフト４０は、ヒンジ付コンポーネント３０または３０Ｂを固定して配置し、ヒンジ付コンポーネント３０または３０Ｂを外側フレーム２０に構造的に取り付けて、装置アセンブリ１０全体を正確かつ正しく機能させるために非常に重要である。外側フレームシャフト４０の位置は、外側フレーム２０の周囲あるいは周辺に沿って配置されている外側フレーム２０コンポーネントの通路の両開口端部２４を永久的に固定、締結、溶接するか、あるいは取り付けるために非常に重要である。この外側フレーム２０の経路開口端部２４を取り付けるというこの外側フレームシャフト４０の機構は、装置アッセンブリ１０全体の構造的一体性と耐久性を強化するものである。
【００３４】
このように、本発明１０と、その実施例１００、２００／２３０／２３０Ｂは：（１）本発明が、例えば、フロッピィディスク、コンパクトディスク／ポリゴン、ＶＣＤ、ＤＶＤ、ジップディスク、あるいは溝付きレコード媒体、などの様々なデジタルあるいはアナログ記録または再生装置に使用されるときに、より使いやすい装填および取り外し動作を提供すること；（２）軽量化されて、ユーザがより多くの装置を持ち運べること；（３）保管スペースがより少なくて済むこと；（４）より携帯性が良いこと；（５）自然あるいは人工の固体／液体の異物を格納すること；および（５）容器が内容物である媒体から物理的に分離されたり、置き忘れたりされないようにすること；によってより優れた有用性とより容易な操作性をエンドユーザに提供している。
【００３５】
装置１０、およびその実施例１００、２００／２３０／２３０Ｂは、したがって、現存のすべての読み取りあるいは書き込み装置に例外なく適用できる独立型で、多軸記録が可能な、保存装置を提供する。更に、装置１０、およびその実施例１００、２００／２３０／２３０Ｂは、現存のアナログまたはデジタルの記録済み媒体を受け入れ可能であり、保護容器を再生、読み取り、書き込み装置に挿入することができる。
【００３６】
図８に示す本発明１００の第２実施例では、図１０、１０Ａおよび１０Ｂに示すヒンジ付コンポーネント１３０は、３次元形状の固体素材でできており、一体ヒンジ１２４上で１８０度回転可能なヒンジ付コンポーネントアーム１３４と外側フレームシャフト１４０に対し、連結して取り付けられたり、固定されたり、溶接されたり、締結されたり、あるいはその周囲あるいは周辺の縁に沿って連結されたりしている。このヒンジ付コンポーネント１３０は、その内径面に二本の対向するシャフトを有し、内側コンポーネント１５０または１５０Ｂを保持し回転させている。図８および１０に示すように、ヒンジ付コンポーネント１３０のヒンジ付コンポーネントアーム１３４と外側フレームシャフト１４０及びヒンジ付コンポーネント１３０の一部に対して正反対の位置において、突出した部材１３２が外側に延在しており、これは係合機構、スナッピング機構、ばね仕掛け機構、あるいは締結機構のいずれかとして作用し、図８、９、９Ａ、９Ｂに示すように外側フレーム１２０の溝付き部分１２２と一致して機能する。
【００３７】
図８、１１、１１Ａ、１３および１３Ａに示すように、第２実施例１００の内側コンポーネント１５０あるいは１５０Ｂは、エレメント１５４と１５２を中心とする一体ヒンジ軸を中心に３６０度回転する平坦なあるいは３次元形状の固体素材である。この３６０度の回転動作によって、装置１００を、操作者あるいはユーザが手動で完全に開閉することが可能になる。この動作は、外側フレームシャフト１４０の中心軸に配置されている、中心軸上の一体ヒンジを中心に、ヒンジ付コンポーネント１３０をゼロから１８０度手動で回転させることによって、開始する。内側コンポーネント１５０または１５０Ｂは、その直径軸に沿って配置されている対向する２本のシャフトによって同心に取り付けられたり、固定されたり、接続されたり、および封入されたりしている。これらの対向するシャフトは、ヒンジ付コンポーネント１３０の内周面の埋め込みエレメントである。内側コンポーネント１５０または１５０Ｂは、装置１００の空洞の溝付き部分に、外側フレーム１２０とヒンジ付コンポーネント１３０の双方の中心及び周囲に同軸に配置され得るように、サイズと形状が決められている。二つの対向する穴１５２および１５４は、内側コンポーネント１５０または１５０Ｂの外周及び直径軸に沿って配置されて、ヒンジ付コンポーネント１３０の一体ヒンジの二本の対向し、露出しているシャフトを完全に封入している。これらの穴１５２と１５４は、図８、１１、１１Ａ、１３および１３Ａに示すように、内側コンポーネント１５０あるいは１５０Ｂの中心線の軸に沿って配置されている。
【００３８】
図８、９、９Ａおよび９Ｂに示すように、本発明１００の第２実施例の外側フレーム１２０は、内側コンポーネント１５０または１５０Ｂ、ヒンジ付コンポーネント１３０、および外側フレームシャフト１４０を保持し、これらの支持構造として作用する円形の、あるいは多角形の物体である。外側フレーム１２０は、装置１００のそれぞれのコンポーネント全てを正しい位置に保持し固定する為の、一式の半円形あるいは多角形の溝を有する。更に、外側フレーム１２０は、外側フレームシャフト１４０とヒンジ付コンポーネント１３０のヒンジアーム１３４を受け入れるために、その周囲あるいは周辺に沿って第１の溝付き開口１２４を有する。外側フレーム１２０は、対向する締り嵌め、ばね仕掛け機構、あるいはスナップ式係合アーム機構のいずれかを装備しているヒンジ付コンポーネント１３０の突出した部材１３２を受け入れるために、その周囲または周辺に沿って第２の溝付き開口１２２を有する。外側フレーム１２０の第１の溝付き開口１２４と、第２の溝付き開口１２２は、外側フレーム１２０の直径に沿って延びる軸上で正反対の位置に配置されている。
【００３９】
図８、１２、１２Ａ、１２Ｂおよび１２Ｃに示すように、本発明１００の第２実施例は更に、３本の円筒状の突起を具える物体である一の外側フレームシャフト１４０を具える。この突起のうちの２本は、１８０度の軸に沿って反対方向を向き、一の軸として外側フレーム１２０内に延在して、内部で回転可能に固定され締結されている。第３の突起は、２本の突起をもつ１８０度の軸に対して直角を成してヒンジ付コンポーネント１３０のヒンジ付アーム１３４内に固定的に挿入されることで、ヒンジ付コンポーネント１３０を正しい位置に固定して留めつけるように延在していると共に、更に内側コンポーネント１５０または１５０Ｂの穴１５２または１５４の一方に延在している。
【００４０】
図１４乃至１４Ｄ、１５乃至１５Ｂ、１６乃至１６Ｃ、１７乃至１７Ｂ、１８及び１８Ａに示すように、本発明の第３実施例２００、２３０及び２３０Ｂでは、外側フレーム２００が、ヒンジ付コンポーネント２３０または２３０Ｂと装置アッセンブリ全体を保持し、これらの支持構造として作用する３次元形状の円形あるいは多角形物体である。これは、ヒンジ付コンポーネント２３０あるいは２３０Ｂを正しい位置に保持し固定する半円形または多角形のキャビティを有する。更に、外側フレーム２００は、ヒンジ付コンポーネント２３０と２３０Ｂのボールジョイントヒンジとシャフトアーム２３２を受け入れるために、その周囲あるいは周辺に沿ってボールジョイントキャビティ機構２２４を有する。このボールジョイント球形キャビティ２２４は、ヒンジ付コンポーネント２３０あるいは２３０Ｂをしっかりと正しい位置に保持し、固定するために、外側フレーム２００の周囲あるいは周辺に沿って位置決めし、配置されている。外側フレーム２００は、また、締り嵌め機構、ばね仕掛け機構、あるいはスナップ式係合機構のいずれかを装備した経路開口２２２を有する。経路開口２２２は、外側フレーム２００の直径に沿って配置されており、ボールジョイント球形キャビティ２２４の位置と真向かいの位置にある。
【００４１】
図１６乃至１８Ａに示す本発明の第３実施例のヒンジ付コンポーネント２３０あるいは２３０Ｂは、３次元形状の固体素材である。ヒンジ付コンポーネント２３０または２３０Ｂは、シャフトアームとボールジョイントヒンジ２３２に、連結され、取り付けられ、固定され、溶接され、留めつけられるかあるいはその周囲または周辺の縁に沿って連結されている。ボールジョイントヒンジ２３２は、ボールジョイントヒンジ２３２の三次元軸に沿って、縦方向に０~９０度、横方向に０~１８０度の回転を可能にする。ボールジョイントヒンジ２３２は、外側フレーム２００の平坦面上に位置する球形キャビティ２２４内に置かれ、固定されている。ヒンジ付コンポーネントシャフトアームとボールジョイントヒンジ２３２の真向かいに位置し、同時にヒンジ付コンポーネント２３０又は２３０Ｂの周囲に沿った位置に存在する突出した係合アーム２３４は、外側に向かって延在し、外側フレーム２００の周囲又は周辺に沿って存在する経路開口２２２と結合する。ヒンジ付コンポーネント２３０または２３０Ｂのこの突出した係合アーム２３４機構は、外側フレームの経路開口２２２と一致して動作し、装置が完全に閉じているときに装置アッセンブリ全体を互いにしっかりと保持する為の、係合、スナッピング、ばね仕掛け、あるいは締結機構として作用する。
【００４２】
本発明を構成する好ましい素材がポリカーボンである一方、実施例の最終仕様に応じ、アルミニウムまたはチタンなどの金属、合金、ケブラ（Kevlar：登録商標）、高インパクトグラファイト、クリスタル、木、樹脂、ファイバーグラス、及び／又はセラミックスを含む他の好適な材料であり得る。更に、本発明にとって、重力及び回転の中心軸に対する重量及び／又は質量の最適なバランスを実現することが重要であるため、精密機械加工、鋳造、成形、および他の製造プロセスによって構成材料および物理的寸法が容易に調整可能でなくてはならない。これらの物理的特性が確実に、ロータリリーダまたはライタによって操作する場合に装置上に働く遠心力がその意図された目的と使用に対して重要な悪影響を及ぼさないようにする。また、これらの構成材料は、引っかき傷／埃／汚れと衝撃に耐性がある一体化した容器／記録媒体を提供することを助ける。これらの好ましい材料は、更に、デザインがコンパクトで、不要な空洞や、使用できないスペースを含まない一体的な容器／記録媒体を提供し、従って、今日の市場に存在する別体の容器を伴う従来のディスクと違い、製品の効率的な製造及び組み立てプロセスをもたらす。この結果、製造された製品の効率がよくなり、その可能なアプリケーションは、限定されることなく、アナログ、デジタル、あるいは光学的な、声、データ、音、ソフトウエアアプリケーション、ビデオ、他の記録に使用される材料の保存を含む。
【００４３】
本発明の３つの実施例の意図と範囲について述べたが、一方、本発明は、写真、印刷物、視覚的アート、磁気フィルム、２次元または３次元モールド、アートワーク、機械加工プレート、印刷フィクスチュア及び一体化され相互関連して機能する部材内で使用可能であり保存可能な全ての素材の、記録、保護、絶縁、封入、表示、及び／又は転送のために使用することができる。
【００４４】
上述した好ましい実施例は、下記の請求項の保護範囲を限定しようとするものではない。したがって、例えば、表現として限定されている場合を除いて、請求項は、独立型の、デジタルまたはアナログの記録媒体を含むアプリケーションに限定されるものではない。例えば、本発明は、単一の一体化したアッセンブリ内に収納された有益な媒体／デバイスを伴う保護カバー／容器であって、ユーザが：（１）あらゆる電子／電気的アッセンブリ、集積回路及び／又は大規模集積回路またはプリント回路基板；（２）あらゆる医学的または実験的なスペーシメン及び／又はサンプル；（３）液状または固体状の化学及び／又は生化学材料；（４）液状または固体状のあらゆる食料または飲食可能なもの；（５）、限定することなく、レンズ、リング、コイン、チップス、その他のタイプの宝石、その他を含むあらゆる人工的な固体物；（６）あらゆる有機的または無機的な物体；および（７）限定されることなく、時計、携帯情報端末、携帯電話、コンピュータ、電子携帯デバイス、方向コンパス、カメラ、ビデオモニタスクリーン、電子書籍、おもちゃ他を含む、他の機械的または電子的な装置；など他の人工的あるいは自然の材料を、保護し、絶縁し、封印し、利用する保護カバー／容器を提供する。好ましい実施例を参照して本発明を詳細に説明しているが、当業者は、本発明の意図及び範囲から外れることなくここに述べる教示に照らしてある程度の変更および変形が可能であることに気づくであろう。従って、本発明は、請求項の記載によってのみ限定される。
【図１】
2005535994.tif 000003
【図２】
2005535994.tif 000004
【図３】
2005535994.tif 000005
【図４】
2005535994.tif 000006
【図５】
2005535994.tif 000007
【図６】
2005535994.tif 000008
【図７】
2005535994.tif 000009
【図８】
2005535994.tif 000010
【図９】
2005535994.tif 000011
【図１０】
2005535994.tif 000012
【図１１】
2005535994.tif 000013
【図１２】
2005535994.tif 000014
【図１３】
2005535994.tif 000015
【図１４】
2005535994.tif 000016
【図１５】
2005535994.tif 000017
【図１６】
2005535994.tif 000018
【図１７】
2005535994.tif 000019
【図１８】
2005535994.tif 000020
【国際調査報告】
2005535994.tif 000021
2005535994.tif 000022
2005535994.tif 000023